(57)【要約】      （修正有）【課題】組み立てプロセスにおける歪みを回避することができるコネクタ・ハウジング・アセンブリを提供する。【解決手段】第１のコネクタ・ハウジング１１０、第２のコネクタ・ハウジング１２０、第１の接続端子、および第２の接続端子１５０を含む。第１のコネクタ・ハウジングは、ハウジング本体１１６とシュラウド１１７を備える。ハウジング本体は、収容キャビティを取り囲んでいる。シュラウドは、ハウジング本体の周りに配置され、かつハウジング本体に接続される。シュラウドとハウジング本体との間に隙間が形成されてスロットを形成する。コネクタ・ハウジングは、ラグ１２６またはスライド溝の内の一方を更に備える。ラグまたはスライド溝はスロットに配置されている。ラグはスライド溝と突き合わせられて、プラグイン接続時に第１のコネクタ・ハウジングおよび第２のコネクタ・ハウジングをガイドする。【選択図】図１
0003230259.tif 000002
【実用新案登録請求の範囲】
【請求項１】
ハウジング本体とシュラウドを有して成るコネクタ・ハウジングであって、
該ハウジング本体が収容キャビティを取り囲み、
該シュラウドは該ハウジング本体の周りに配置され、かつ該ハウジング本体に接続され、
該シュラウドとハウジング本体の間に隙間が形成されて、スロットを形成し、
該コネクタ・ハウジングは、ラグまたはスライド溝の内の一方をさらに備え、該ラグまたはスライド溝は該スロットに配置されているコネクタ・ハウジング。
【請求項２】
前記ラグまたはスライド溝が、前記シュラウドの内面に配置されている、請求項１記載のコネクタ・ハウジング。
【請求項３】
第１のコネクタ・ハウジングを有して成るコネクタ・ハウジング・アセンブリであって、該第１のコネクタ・ハウジングは第１のハウジング本体を含み、該第１のハウジング本体の外面はラグまたはスライド溝を備える、コネクタ・ハウジング・アセンブリ。
【請求項４】
第２のコネクタ・ハウジングを更に有して成り、
前記第１のコネクタ・ハウジングが該第２のコネクタ・ハウジングとプラグで接続可能なプラグイン接続されており、
前記第１のコネクタ・ハウジングおよび第２のコネクタ・ハウジングの一方にはラグが設けられ、前記第１のコネクタ・ハウジングおよび第２のコネクタ・ハウジングの他方にはスライド溝が設けられ、
前記第１のコネクタ・ハウジングおよび第２のコネクタ・ハウジングがプラグで接続および非接続となる場合に、該ラグは該スライド溝に沿ってスライド可能に構成される、請求項３記載のコネクタ・ハウジング・アセンブリ。
【請求項５】
前記第１のコネクタ・ハウジングは、第１のハウジング本体およびシュラウドを含み、
該第１のハウジング本体は、第１の収容キャビティを取り囲み、
該シュラウドは、該ハウジング本体の周りに配置され、かつ該ハウジング本体と接続され、
該シュラウドと第１のハウジング本体の間に隙間を設けて、スロットを形成する、請求項４記載のコネクタ・ハウジング・アセンブリ。
【請求項６】
前記ラグまたはスライド溝が前記シュラウドの内面に設けられる、請求項５記載のコネクタ・ハウジング・アセンブリ。
【請求項７】
前記第２のコネクタ・ハウジングが第２のハウジング本体を有して成り、該第２のハウジング本体が第２の収容キャビティを取り囲み、前記ラグまたはスライド溝が該第２のハウジング本体の外面に設けられる、請求項４記載のコネクタ・ハウジング・アセンブリ。
【請求項８】
２つ以上のラグが設けられ、かつ離間されており、前記スライド溝の数は前記ラグの数と同じであり、前記スライド溝が前記ラグの位置に適応するように配置されている、請求項４記載のコネクタ・ハウジング・アセンブリ。
【請求項９】
前記第１のコネクタ・ハウジングにスロットが設けられ、かつ前記第２のコネクタ・ハウジングは第２の収容キャビティを取り囲む第２のハウジング本体を含み、
該第２のハウジング本体は該スロットにプラグで接続されるように構成され、
前記ラグまたはスライド溝の一方は該スロットに配置され、前記ラグまたはスライド溝の他方は該第２のハウジング本体に配置されている、請求項４記載のコネクタ・ハウジング・アセンブリ。
【請求項１０】
前記第１のコネクタ・ハウジングが第１のハウジング本体およびシュラウドを含み、該第１のハウジング本体が第１の収容キャビティを取り囲み、該シュラウドが該第１のハウジング本体の周りに配置され、かつ該第１のハウジング本体に接続され、該シュラウドと第１のハウジング本体の間に隙間を設けて、スロットを形成する、請求項９記載のコネクタ・ハウジング・アセンブリ。
【請求項１１】
前記スライド溝が前記シュラウドに配置され、かつ前記スロットに配置され、
前記プラグは第２のハウジング本体に配置され、かつ第２のハウジング本体から突出している、請求項１０記載のコネクタ・ハウジング・アセンブリ。
【請求項１２】
前記スライド溝は、前記第１のハウジング本体の２つの対辺に配置される、請求項１０記載のコネクタ・ハウジング・アセンブリ。
【請求項１３】
前記第１のコネクタ・ハウジングに回転可能に接続されているコネクタ・ハンドルを更に有して成り、
該コネクタ・ハンドルが、接続部分および支持部分を含み、
該支持部分の一端は該接続部分と接続され、該支持部分の他端は少なくとも１つの湾曲セグメントを備え、該湾曲セグメントは円周側壁を備え、該湾曲セグメントは複数の第１の歯状溝を備え、第１の歯状部は隣接する２つの第１の歯状溝の間に形成され、該複数の第１の歯状溝および複数の第１の歯状部はすべて、円周方向に離間して配置され、
該支持部分には第１のラグが設けられており、該第１のラグは該円周側壁から半径方向に突出するように構成されている、請求項３記載のコネクタ・ハウジング・アセンブリ。
【請求項１４】
前記支持部分の回転方向において、前記第１のラグは、前記第１の歯状溝のすべての後ろに配置され、および／または前記第１のラグは、前記第１の歯状部のすべての後ろに配置される、請求項１３記載のコネクタ・ハウジング・アセンブリ。
【請求項１５】
前記支持部分が第２のラグを更に備え、該第２のラグが複数の歯状部の反対側に円周方向に配置され、複数の第１の歯状部および第１の歯状溝が、第１のラグと第２のラグとの間に配置される、請求項１３記載のコネクタ・ハウジング・アセンブリ。
【請求項１６】
前記支持部分には、前記支持部分を通って軸方向に延びる貫通孔が設けられ、前記第１のコネクタ・ハウジングの外壁には支持シャフトが設けられ、該支持シャフトは該貫通孔を通っており、前記支持部分は支持シャフト上にスリーブを付けられ、該支持シャフトの周りで回転可能に配置されている、請求項１３記載のコネクタ・ハウジング・アセンブリ。
【請求項１７】
前記第１のコネクタ・ハウジングが弾性フックを備えており、
前記支持部分には第２のラグが更に設けられており、該第２のラグは円周方向に沿って複数の歯状溝の反対側に位置し、
該複数の歯状溝は前記第１のラグと第２のラグとの間に配置され、
該弾性フックは、前記ハンドルの回転を制限するために第２のラグと突き合わせられており、
該弾性フックが前記第１のラグをクランプするとき、前記ハンドルは該弾性フックによって回転するように制限され、
該弾性フックが強制的に移動して前記第１のラグを制限から解放すると、前記ハンドルは第１のコネクタ・ハウジングに対して回転可能である、請求項１３記載のコネクタ・ハウジング・アセンブリ。
【請求項１８】
第２のコネクタ・ハウジングを更に有して成り、
前記第１のコネクタ・ハウジングが該第２のコネクタ・ハウジングとプラグで接続可能なプラグイン接続されており、
該第２のコネクタ・ハウジングは、線形ラック部を更に有して成り、該線形ラック部は複数の第２の歯状部を有して成り、第２の歯状溝は隣接する第２の歯状部の間に形成され、
複数の第１の歯状部がそれぞれ複数の第２の歯状溝と係合し、前記支持部分は、複数の第２の歯状部がそれぞれ複数の第１の歯状溝と係合すると、回転して第２のコネクタ・ハウジングと第１のコネクタ・ハウジングを相対的に移動させるように構成される、請求項１３記載のコネクタ・ハウジング・アセンブリ。
【請求項１９】
前記複数の第１の歯状部が前記複数の第２の歯状部と不適切に係合したときに、前記第１のラグは前記第２の歯状部と干渉して、前記第１のコネクタ・ハウジングが前記第２のコネクタ・ハウジングとプラグイン接続するのを防止する、請求項１８に記載のコネクタ・ハウジング・アセンブリ。
【請求項２０】
第１の接続端子および第２の接続端子を更に有して成り、該第１の接続端子が該第２の接続端子とプラグで接続可能なプラグイン接続されており、前記第１のコネクタ・ハウジングが前記第２のコネクタ・ハウジングとプラグイン接続していると、該第１の接続端子は該第２の接続端子とプラグイン接続している、請求項１８記載のコネクタ・ハウジング・アセンブリ。
【考案の詳細な説明】
【技術分野】
【０００１】
本願は、コネクタ・ハウジング、コネクタ・ハウジング・アセンブリおよびコネクタ・アセンブリに関する。
【背景技術】
【０００２】
コネクタ・アセンブリは、相互にプラグで接続可能（pluggable）に配置される第１のハウジングおよび第２のハウジングを有して成る。簡単にプラグで接続／非接続するために、プラグで接続／非接続する必要のある嵌合構造体は緩く接続されている。ただし、このような緩い嵌合は、プラグイン接続中にいくつかの問題を引き起こす可能性があり、第１のハウジングおよび第２のハウジングがプラグで接続するプロセスにおいて相互に傾いている場合、第１のハウジングと第２のハウジングを所定の位置に取り付けることができないため、接続端子が正しく接続できず、電気的接続性能が要求を満たすことができない。
【０００３】
コネクタ・アセンブリは、相互にプラグで接続可能に配置された第１のコネクタ・ハウジングおよび第２のコネクタ・ハウジングを有して成る。ハンドルは、第１のコネクタ・ハウジングおよび第２のコネクタ・ハウジングの一方の上に配置され、ハンドルには円弧状のギア部が設けられ、ハンドルは回転可能に配置され、もう一方は線形の歯状溝部を備えている。ギア部と歯状溝部は互いに係合し、ハンドルによって回転し、ギア部は線形歯状溝部を直線的に移動させるため、第１のコネクタ・ハウジングと第２のコネクタ・ハウジングのプラグでの接続および非接続を実現することができる。このような構造体のコネクタ・アセンブリを使用すると、誤操作を回避することが難しい。移動距離が短いため、ギア部と歯状溝部の相互の係合は、それらの取り付け位置が正確であることを確認する必要があり、不適切に取り付けられた場合、回転時のハンドルは、線形歯状溝を十分な距離移動させることはできないため、第１のコネクタ・ハウジングおよび第２のコネクタ・ハウジングを所定の位置にプラグで接続することができない。
【考案の概要】
【考案が解決しようとする課題】
【０００４】
本願の目的の１つは、先行技術の欠点を克服するために、組み立てプロセスにおける歪みを回避することができるコネクタ・ハウジング、コネクタ・ハウジング・アセンブリ、およびコネクタ・アセンブリを提供することである。
【課題を解決するための手段】
【０００５】
本願の１つの態様によれば、ハウジング本体およびシュラウドを有して成るコネクタ・ハウジングが提供され、ハウジング本体は収容キャビティを取り囲み、シュラウドはハウジング本体の周りに配置され、かつハウジング本体に接続され、シュラウドとハウジング本体の間に隙間が形成されて、スロットを形成する。コネクタ・ハウジングは、ラグまたはスライド溝の内の一方を更に備え、ラグまたはスライド溝はスロットに配置されている
【０００６】
本願の１つの実施形態によれば、上記ラグまたはスライド溝が、上記シュラウドの内面に配置されている。
【０００７】
本願の１つの実施形態によれば、２つ以上のラグおよび／またはスライド溝が設けられ、かつ離間されている。
【０００８】
本願の１つの態様によれば、第１のコネクタ・ハウジングを有して成るコネクタ・ハウジング・アセンブリが提供され、第１のコネクタ・ハウジングは第１のハウジング本体を含み、第１のハウジング本体の外面はラグまたはスライド溝を備える。
【０００９】
本願の１つの実施形態によれば、２つ以上のラグおよび／またはスライド溝が設けられ、かつ離間されている。
【００１０】
本願の１つの実施形態によれば、コネクタ・ハウジング・アセンブリは、第２のコネクタ・ハウジングを更に含み、上記第１のコネクタ・ハウジングが第２のコネクタ・ハウジングとプラグで接続可能なプラグイン接続されており、上記第１のコネクタ・ハウジングおよび第２のコネクタ・ハウジングの一方にはラグが設けられ、上記第１のコネクタ・ハウジングおよび第２のコネクタ・ハウジングの他方にはスライド溝が設けられ、上記第１のコネクタ・ハウジングおよび第２のコネクタ・ハウジングがプラグで接続および非接続となる場合に、上記ラグはスライド溝に沿ってスライド可能であるように構成される。
【００１１】
本願の１つの実施形態によれば、第１のコネクタ・ハウジングは、第１のハウジング本体およびシュラウドを含み、上記第１のハウジング本体は第１の収容キャビティを取り囲み、上記シュラウドは、上記ハウジング本体の周りに配置され、上記ハウジング本体と接続され、上記シュラウドと第１のハウジング本体との間に隙間を設けて、スロットを形成する。
【００１２】
本願の１つの実施形態によれば、ラグまたはスライド溝は、シュラウドの内面に配置される。
【００１３】
本願の１つの実施形態によれば、第２のコネクタ・ハウジングは第２のハウジング本体を有して成り、第２のハウジング本体は第２の収容キャビティを取り囲み、ラグまたはスライド溝は第２のハウジング本体の外面に配置される。
【００１４】
本願の１つの実施形態によれば、２つ以上のラグが間隔を空けて設けられ、スライド溝の数はラグの数と同じであり、スライド溝は、スライドに適合するように配置される。ラグの位置。
【００１５】
本願の１つの実施形態によれば、第１のコネクタ・ハウジングにはスロットが設けられ、第２のコネクタ・ハウジングは、第２の収容キャビティを取り囲む第２のハウジング本体を含み、第２のハウジング本体は、スロットに挿入されるように配置される。ラグまたはスライド溝の一方はスロットに配置され、ラグまたはスライド溝の他方は第２のハウジング本体に配置される。
【００１６】
本願の１つの実施形態によれば、第１のコネクタ・ハウジングは、第１のハウジング本体およびシュラウドを含み、上記第１のハウジング本体は、第１の収容キャビティを取り囲み、上記シュラウドは、第１のハウジング本体の周りに配置され、かつ第１のハウジング本体と接続され、上記シュラウドと第１のハウジング本体の間に隙間を設けて、スロットを形成する。
【００１７】
本願の１つの実施形態によれば、
上記スライド溝が上記シュラウドに配置され、かつ上記スロットに配置され、上記ラグは第２のハウジング本体に配置され、かつ第２のハウジング本体から突出している。
【００１８】
本願の１つの実施形態によれば、上記スライド溝は、上記第１のハウジング本体の２つの対辺に配置される。
【００１９】
本願の１つの実施形態によれば、複数の端子保護プレートが第２の収容キャビティ内に配置され、各端子保護プレートはチューブキャビティを取り囲む。
【００２０】
本願の１つの実施形態によれば、コネクタ・ハウジング・アセンブリは、コネクタ・ハンドルを更に含み、上記コネクタ・ハンドルは、第１のコネクタ・ハウジングに回転可能に接続されている。上記コネクタ・ハンドルは、接続部分および支持部分を有して成り、上記支持部分の一端は接続部分と接続され、上記支持部分の他端は少なくとも１つの湾曲セグメントを備え、上記湾曲セグメントは円周側壁を備え、上記湾曲セグメントは複数の第１の歯状溝を備え、第１の歯状部は隣接する２つの第１の歯状溝の間に形成され、上記複数の第１の歯状溝および複数の第１の歯状部はすべて、円周方向に離間して配置され、上記該支持部分には第１のラグが設けられており、上記第１のラグは円周側壁から半径方向に突出するように配置されている。
【００２１】
本願の１つの実施形態によれば、上記第１のラグは、上記支持部分の回転方向において、上記第１の歯状溝のすべての後ろに配置されている。
【００２２】
本願の１つの実施形態によれば、上記第１のラグは、上記支持部分の回転方向において、上記第１の歯状部のすべての後ろに配置されている。
【００２３】
本願の１つの実施形態によれば、湾曲セグメントの厚さ方向における第１のラグの厚さは、湾曲セグメントの厚さよりも小さい。
【００２４】
本願の１つの実施形態によれば、第１の歯状溝は、湾曲セグメントの厚さ方向に沿って選択された長さだけ延びており、上記第１の歯状溝の長さは、上記湾曲セグメントの厚さよりも小さい。
【００２５】
本願の１つの実施形態によれば、コネクタ・ハンドルはＵ字形であり、支持部分の数は２つであり、上記２つの支持部分は、接続部分の両端にそれぞれ配置されている。
【００２６】
本願の１つの実施形態によれば、接続部分は、支持部分と一体化されるように提供される。
【００２７】
本願の１つの実施形態によれば、上記支持部分は、円周方向において複数の歯状部の反対側に配置される第２のラグを更に備え、複数の第１の歯状部および第１の歯状溝が、第１のラグと第２のラグとの間に配置される。
【００２８】
本願の１つの実施形態によれば、上記支持部分には、上記支持部分を通って軸方向に延びる貫通孔が設けられ、第１のコネクタ・ハウジングの外壁には支持シャフトが設けられ、上記支持シャフトは貫通孔を通っており、上記支持部分は支持シャフト上にスリーブを付けられ、支持シャフトの周りで回転可能に配置されている。
【００２９】
本願の１つの実施形態によれば、上記第１のコネクタ・ハウジングが弾性フックを備えており、上記支持部分には第２のラグが更に設けられており、上記第２のラグは円周方向に沿って複数の歯状溝の反対側に位置し、複数の歯状溝は第１のラグと第２のラグとの間に配置され、上記弾性フックは、上記ハンドルの回転を制限するために第２のラグと突き合わせられており（matched）、上記弾性フックが第１のラグをクランプする（または固定する）とき、上記ハンドルは弾性フックによって回転するように制限され、上記弾性フックが強制的に移動して第１のラグを制限から解放すると、上記ハンドルは第１のコネクタ・ハウジングに対して回転可能である。
【００３０】
本願の１つの実施形態によれば、コネクタ・ハウジング・アセンブリは、第１のコネクタ・ハウジング内に取り付けられる第１の接続端子を更に含む。
【００３１】
本願の１つの実施形態によれば、コネクタ・ハウジング・アセンブリは、第２のコネクタ・ハウジングを更に備え、コネクタ・ハンドルは第１のコネクタ・ハウジングに回転可能に接続され、上記第１のコネクタ・ハウジングは第２のコネクタ・ハウジングとプラグで接続可能なプラグイン接続されており、第２のコネクタ・ハウジングは、線形ラック部（linear rack section）を更に有して成り、上記線形ラック部は複数の第２の歯状部を有して成り、第２の歯状溝は隣接する第２の歯状部の間に形成され、複数の第１の歯状部がそれぞれ複数の第２の歯状溝と係合し、支持部分は、複数の第２の歯状部がそれぞれ複数の第１の歯状溝と係合すると、回転して第２のコネクタ・ハウジングと第１のコネクタ・ハウジングを相対的に移動させるように配置される。
【００３２】
本願の１つの実施形態によれば、円周方向に延びる第１のラグの幅は、第２の歯状溝の幅よりも大きい。
【００３３】
本願の１つの実施形態によれば、上記複数の第１の歯状部が上記複数の第２の歯状溝と不適切に係合したときに、上記第１のラグは上記第２の歯状部と干渉して、上記第１のコネクタ・ハウジングが上記第２のコネクタ・ハウジングとプラグイン接続するのを防止する。
【００３４】
本願の１つの実施形態によれば、上記コネクタ・ハウジング・アセンブリは、第１の接続端子および第２の接続端子を更に備え、第１の接続端子が第２の接続端子とプラグで接続可能なプラグイン接続されており、第１のコネクタ・ハウジングが第２のコネクタ・ハウジングとプラグイン接続しているとき、第１の接続端子は第２の接続端子とプラグイン接続している。
【００３５】
本願の１つの実施形態によれば、コネクタ・アセンブリは、高電圧コネクタ・アセンブリである。
【００３６】
上記用途における上記コネクタ・ハウジング、コネクタ・ハウジング・アセンブリおよびコネクタ・アセンブリによれば、第１のコネクタ・ハウジングと第２のコネクタ・ハウジングの相対的な歪みが原因で所定の場所への設置に失敗しないように、上記ラグはスライド溝と突き合わせられて、プラグイン接続中に第１のコネクタ・ハウジングおよび第２のコネクタ・ハウジングをガイドする。上記ラグとスライド溝をガイド構造として設けることによって、プラグイン接続時に第１のコネクタ・ハウジングと第２のコネクタ・ハウジングが常に位置合わせされることが保証でき、所定の位置に設置できるため、第１の接続端子と第２の接続端子および他の内部電気接続構造は、所定の位置に確実に取り付けられ、使い勝手がよく、電気接続性能を大幅に保証することができる。
【００３７】
上記用途における上記コネクタ・ハンドル、上記コネクタ・ハウジング・アセンブリおよびコネクタ・アセンブリによれば、上記支持部分には第１のラグが設けられており、上記第１のラグは円周側壁から突出するように配置されており、上記第１のラグを第２の歯状溝に嵌め込むことはできない。正しい取り付け位置は、第１の歯状部が第２の歯状溝に嵌め込まれ、第２の歯状部が第１の歯状溝に嵌め込まれ、第１のラグが線形ラック部と揃っていない位置である。突き合わせられていない場合、第１のラグは、線形ラック部と位置合わせされるように配置される。突き合わせられていない場合、第１のラグを第２の歯状溝に嵌め込むことができないため、ハンドルを回転させるのに必要な回転力は、正しく取り付けた場合に必要な回転力よりもはるかに大きく、オペレータは現時点で突き合わせられていないことを確認することができる。突き合わせられていない状態が発生した場合、より大きな回転力を使用する必要があるため、オペレータは突き合わせられていない状態を容易に発見することができる。用途に応じて、上記コネクタ・アセンブリの使用の利便性と安全性を確保するように、第１のコネクタ・ハウジングと第２のコネクタ・ハウジングが正常に組み立てられているか否かをオペレータに判断させることができ、支持部分が線形ラック部に突き合わせられていない状態となるのを防止することで、第１のコネクタ・ハウジングおよび第２のコネクタ・ハウジングの所定の場所における取り付けの失敗、電気接続性能への悪影響を回避することができる。
【図面の簡単な説明】
【００３８】
【図１】本願の実施例１におけるコネクタ・アセンブリの構造概略図である。
【図２】本願の実施例１における第１のコネクタ・ハウジングの構造概略図である。
【図３】本願の実施例１における第２のコネクタ・ハウジングの上面図である。
【図４】本願の実施例２におけるコネクタ・アセンブリの構造概略図である。
【図５】本願の実施例２におけるコネクタ・ハンドルの構造概略図である。
【図６】別の角度から見た実施例２のコネクタ・ハンドルの構造概略図である。
【図７】実施例２における第２のコネクタ・ハウジングの線形ラック部およびコネクタ・ハンドルの間の整合関係の概略図である。
【図８】本願の実施例２におけるコネクタ・アセンブリが適切に組み立てられている状態の一つを示す概略図である。
【図９】本願の実施例２におけるコネクタ・アセンブリが不適切に組み立てられている状態を示す概略図である。
【考案を実施するための形態】
【実施例】
【００３９】
（実施例１）
図１に示すように、コネクタ・アセンブリ１００は、第１のコネクタ・ハウジング１１０、第２のコネクタ・ハウジング１２０、第１の接続端子１４０、および第２の接続端子１５０を含む。第１の接続端子１４０は、第１のコネクタ・ハウジング１１０に取り付けられる。第２の接続端子１５０は、第２のコネクタ・ハウジング１２０に取り付けられる。第１のコネクタ・ハウジング１１０は、第２のコネクタ・ハウジング１２０とプラグで接続可能に配置される。第１の接続端子は、第２の接続端子１５０にプラグで接続可能に配置される。第１のハウジング１１０が第２のコネクタ・ハウジング１２０とプラグイン接続しているとき、第１の接続端子１４０は第２の接続端子１５０とプラグイン接続している。
【００４０】
図１および図２に示すように、第１のコネクタ・ハウジング１１０は、第１のハウジング本体１１６およびシュラウド１１７を含む。第１のハウジング本体１１６は、第１の接続端子およびシュラウド１１７を固定する働きをする。第１のハウジング本体１１６は、実際の使用要件に応じて、好適に構成され、成形されてもよい。第１のハウジング本体１１６は、１８０度のコネクタ・ハウジングまたは９０度のコネクタ・ハウジングのいずれであってもよい。図示の例では、第１のハウジング本体１１６は、９０度のコネクタ・ハウジングであり、即ち、９０度の角度を有するように構成された２つの開口部を有する。上記図示の例では、一方の開口部が下向きに配置され、他方の開口部が右向きに配置されている。第１のハウジング本体１１６は、第１の収容キャビティ１１４を取り囲む。第１の収容キャビティ１１４は、第１の接続端子１４０を受け入れるように適合されている。
【００４１】
シュラウド１１７は、第１のハウジング本体１１６の周りに配置され、両者は接続されている。シュラウド１１７と第１のハウジング本体１１６との間に隙間が形成されてスロット１１８が形成される。スロット１１８は、第２のハウジング本体１２１に対応する長さを延ばすように、後述する第２のシュラウドを受け入れるように適合される。ハウジング本体１１６は、シュラウド１１７と一体化するように提供される。シュラウド１１７には、スライド溝１１９が提供される。スライド溝１１９は、スロット１１８内に配置される。スライド溝１１９は、選択された高さを第１のハウジング本体１１６の高さ方向に延ばす。
【００４２】
図３に示すように、第２のコネクタ・ハウジング１２０は、第２の収容キャビティ１２２を取り囲む第２のハウジング本体１２１を含む。第２のコネクタ・ハウジング１２０は、第１の接続端子が第２の接続端子１５０とプラグで接続可能に接続されるように、第２の接続端子１５０を取り付け、第１のコネクタと嵌合するように機能する。従って、第２のコネクタ１２０の構造は、実際の必要に応じて決定することができる。上記図示の例では、第２のハウジング本体１２１は、収容キャビティ１２２を取り囲んでいる。第２のハウジング本体１２１には、それぞれがチューブキャビティ１２５を取り囲んでいる複数の端子保護プレート１２４が設けられている。第２のハウジング本体１２１の外面には、ラグ１２６が設けられている。ラグ１２６の位置および数は、上記のスライド溝１１９の位置および数に対応している。ラグ１２６は、選択された高さを第２のハウジング本体１２１の高さ方向に延ばす。
【００４３】
図１〜図３に示すように、組み立てられると、第１のコネクタ・ハウジング１１０は第２のコネクタ・ハウジング１２０とプラグイン接続され、上記第２のハウジング本体１２１はスロット１１８に挿入される。プラグイン接続時に、上記ラグ１２６はスライド溝１１９に挿入され、かつスライド溝１１９に沿ってスライド可能である。第１のコネクタ・ハウジングと第２のコネクタ・ハウジングの相対的歪みにより所定の場所における取り付けの失敗を回避するように、上記ラグはスライド溝と突き合わせられて、プラグイン接続時に第１のコネクタ・ハウジングおよび第２のコネクタ・ハウジングをガイドする。
【００４４】
本願の実施例１のコネクタ・ハウジング・アセンブリおよびコネクタ・アセンブリによれば、第１のコネクタ・ハウジングと第２のコネクタ・ハウジングの相対的な歪みが原因で所定の場所における取り付けの失敗を回避するように、上記ラグはスライド溝と突き合わせられて、プラグイン接続時に第１のコネクタ・ハウジングおよび第２のコネクタ・ハウジングをガイドする。ガイド構造として上記ラグおよびスライド溝を設けることで、互いとのプラグイン接続時に第１のコネクタ・ハウジングと第２のコネクタ・ハウジングが常に位置合わせされ、所定の位置に設置できるため、第１の接続端子と第２の接続端子および他の内部電気接続構造は、所定の位置に確実に取り付けられ、使い勝手がよく、電気接続性能を大幅に保証することができる。
【００４５】
（実施例２）
図４に示すように、コネクタ・アセンブリ２００は、第１のコネクタ・ハウジング２１０、第２のコネクタ・ハウジング２２０、第１の接続端子（図示せず）および第２の接続端子２５０を含む。第１の接続端子２５０は、第１のコネクタ・ハウジング２１０に取り付けられる。第２の接続端子２５０は、第２のコネクタ・ハウジング２２０に取り付けられる。第１のコネクタ・ハウジング２１０および第２のコネクタ・ハウジング２２０は、プラグで接続可能に配置される。第１の接続端子および第２の接続端子２５０は、プラグで接続可能に配置される。第１のコネクタ・ハウジング２１０が第２のコネクタ・ハウジング２２０とプラグイン接続しているとき、第１の接続端子は第２の接続端子２５０とプラグイン接続している。第１のコネクタ・ハウジング２１０、第２のコネクタ・ハウジング２２０、第１の接続端子および第２の接続端子２５０の構造は、実際の使用要件に応じて決定することができ、従来技術の様々な構造を使用することができる。上記図示の例では、第１のコネクタ・ハウジング２１０の側壁には、弾性フック２１２が設けられている。上記弾性フック２１２は、強制されると、弾性フック２１２の一端を第１のコネクタ・ハウジング２１０から引き離すことができるように弾性的に配置されている。弾性フック２１２の片側には、ガイドプレート２１３が設けられている。ガイドプレート２１３の上端２１４は、円弧状である。第１のコネクタ・ハウジング２１０の外壁には、支持シャフト２１５が更に設けられている。支持シャフト２１５は、第１のコネクタ・ハウジング２１０から突出するように設けられている。ガイドプレート２１３は、弾性フック２１２および支持シャフト２１５の間に配置されている。上記図示の例では、第１のコネクタ・ハウジング２１０の両側に、それぞれ弾性フック２１２、ガイドプレート２１３、および支持シャフト２１５が設けられている。
【００４６】
第２のコネクタ・ハウジング２２０は、線形ラック部２２１を備える。上記線形ラック部２２１は、隣接する第２の歯状部２２２の間に第２の歯状溝２２３を備えた複数の第２の歯状部２２２を含む。実際のニーズに応じて。第２の歯状部２２２の数を決定してもよい。上記図示の例では、第２の歯状部２２２の数は３であり、第２の歯状溝２２３の数は２である。
【００４７】
図５および図６に示すように、本願のコネクタ・アセンブリ２００は、コネクタ・ハンドル２３０を更に含む。上記コネクタ・ハンドル２３０は、接続部分２３１および支持部分２３２を含む。上記接続部分２３１は、オペレータが保持するために使用され、操作するのに便利である。上記図示の例では、上記コネクタ・ハンドル２３０は、２つの端部を有するほぼＵ字型である。上記コネクタ・ハンドル２３０は、第１のコネクタ・ハウジング２１０の両側にそれぞれ配置された２つの端部で第１のコネクタ・ハウジング２１０を跨っている。
【００４８】
支持部分２３２の一端は接続部分２３１と接続され、支持部分２３２の他端は少なくとも１つの湾曲セグメント２３３を備えている。上記湾曲セグメント２３３は円周側壁２３４を備え、上記湾曲セグメント２３３は複数の第１の歯状溝２３５が設けられ、上記第１の歯状溝２３５は円周側壁２３４から円の中心に向かって延びる。隣接する２つの第１の歯状溝２３５の間に第１の歯状部２３６が形成されている。複数の第１の歯状溝２３５および複数の第１の歯状部２３６はすべて、円周方向に間隔を空けて配置される。上記第１の歯状溝２３５は、湾曲セグメント２３３の厚さ方向に選択された長さだけ延びている。上記第１の歯状溝２３５の長さは、湾曲セグメント２３３の厚さよりも小さく、即ち、上記第１の歯状溝２３５は、湾曲セグメント２３３の厚さ方向において湾曲セグメント２３３を通っていない。
【００４９】
円周側壁２３４には、第１のラグ２３７および第２のラグ２３８が設けられており、第１のラグ２３７および第２のラグ２３８は、いずれも、円周側壁２３４から突出して離間して配置されている。複数の第１の歯状溝２３５は、第１のラグ２３７と第２のラグ２３８との間に配置されている。本願の技術的解決法によれば、例えば、図７、図５、または図６に示すように、支持部分２３２の回転方向において、上記支持部分２３２は時計回りに回転し、第１のラグ２３７はすべての第１の歯状溝２３５の後ろに設けられる。第２のラグ２３８は第１の歯状溝２３５の前に配置される。上記第１のラグ２３７の厚さは、湾曲セグメント２３３の厚さよりも小さい。
【００５０】
支持部分２３２には、軸方向、即ち厚さ方向に支持部分２３２を通って延びる貫通孔２３９が設けられている。上記貫通孔２３９は、湾曲セグメント２３３の中心に設けられている。本願の好ましい態様によれば、コネクタ・ハンドル２３０は、一体的に形成されている。
【００５１】
図４に示すように、コネクタ・ハンドル２３０が第１のコネクタ・ハウジング２１０に取り付けられるとき、支持シャフト２１５は、貫通穴２３９を貫通し、支持部分２３２は支持シャフト２１５上にスリーブを付けられ、支持シャフト２１５の周りで回転可能である。第２のラグ２３８は、弾性フック２１２によってクランプされている。厚さ方向に第１の歯状溝２３５が設けられていない円周側壁２３４の断面は、ガイドプレート２１３の上端２１４の反対側であり、その間に隙間がある。弾性フック２１２が第２のラグ２３８を引っ掛けるとき、支持部分２３２は回転することができない。第２のラグ２３８をもはや拘束しないように上記弾性フック２１２を引っ張られ、そのとき支持部分２３２は支持シャフト２１５の周りで回転可能である。支持部分２３２が回転するとき、ガイドプレート２１３の上端２１４は、支持部分２３２が歪むのを防止することができる。
【００５２】
図４〜図７に示すように、第１のコネクタ・ハウジング２１０および第２のコネクタ・ハウジング２２０が互いにプラグイン接続しているとき、湾曲セグメント２３３の第１の歯状溝２３５および第１の歯状部２３６は、それぞれ線形ラック部２２１と係合しており、上記第１の歯状部２３６は第２の歯状溝２２３に挿入され、第２の歯状部２２２は第１の歯状溝２３５に挿入されている。このような係合関係で支持部分２３２が回転すると、支持部分２３２は線形ラック部２２１および第２のコネクタ・ハウジング２２０を駆動させて直線的に移動させることができる。第２のコネクタ・ハウジング２２０が下に配置され、第１のコネクタ・ハウジング２１０が上に配置されると、時計回りの回転により、第１のコネクタ・ハウジング２１０および第２のコネクタ・ハウジング２２０が所定の位置にプラグで接続され、互いと接続され、第１の接続端子と第２の接続端子２５０が所定の位置にプラグで接続されて接続されるまで、第２のコネクタ・ハウジング２２０を上に引くことができる。図７に示すように、正しい組み立て方法において、最上部の第２の歯状部２２２が時計回り方向の最前部の第１の歯状溝２３５に嵌め込まれているので、第２のコネクタ・ハウジング２２０を可能な限り上方に移動することを可能にするのに十分に大きな角度で支持部分２３２を確実に回転させることができる。コネクタ・ハンドル２３０を時計回りに回転し、適切に組み立てられると、コネクタ・ハンドル２３０は、最下の第２の歯状部２２２が時計回りの方向に最後の第１の歯状溝２３５に挿入されるような十分な角度だけ時計回りに回転することができる。図８に示すように、図７の状態に対してコネクタ・ハンドル２３０を時計回りに９０度回転させると、接続部分２３１が第１のコネクタ・ハウジング２１０に当接する。
【００５３】
図９に示すように、突き合わせられていない場合、すなわち、最上部の第２の歯状部２２２が時計回り方向に第２の、または第３の第１の歯状溝２３５に挿入される場合、この状態は不適切な係合と呼ばれる。コネクタ・ハンドル２３０が時計回りに９０度回転されていない場合、第１のラグ２３７は、線形ラック部２２１に当接する。第１のラグ２３７は、円周側壁２３４から突出し、第１のラグ２３７の長さが第２の歯状溝２２３の幅よりも大きいので、第１のラグ２３７を第２の歯状溝２２３に挿入できず、従って、上記コネクタ・ハンドル２３０を時計回りに連続的に回転させることができないか、またはコネクタ・ハンドル２３０を回転させるのに適切な係合時より大きな力が必要である。上記第１のラグ２３７は、線形ラック部２２１と干渉し、その結果、上記コネクタ・ハンドル２３０は所定の位置へ時計回りに回転できず、また、線形ラック部２２１は所定の位置へ上方に引っ張ることができず、それにより、第１のコネクタ・ハウジング２１０および第２のコネクタ・ハウジング２２０が所定の位置にプラグで接続されるのを妨害する。オペレータは、コネクタ・ハンドル２３０を時計回りに回転させる力が正常範囲を超えているかどうか、または所定の位置へ時計回りに回転できるかどうかに応じて、第１のコネクタ・ハウジング２１０および第２のコネクタ・ハウジング２２０が所定の位置にプラグで接続されているかどうか、および第１の接続端子と第２の接続端子２５０が所定の位置にプラグで接続されているかどうかを判断することができる。電気接続機能が正常かどうかを更に判断することができる。
【００５４】
本願実施例２のコネクタ・ハンドル、コネクタ・ハウジング・アセンブリ、コネクタ・アセンブリによれば、支持部分に第１のラグが設けられ、上記第１のラグは円周側壁から突出するように配置され、上記第１のラグを第２の歯状溝に嵌め込むことはできない。正しい取り付け位置は、第１の歯状部が第２の歯状溝に嵌め込まれ、第２の歯状部が第１の歯状溝に嵌め込まれ、第１のラグが線形ラック部と揃っていない位置である。突き合わせられていない場合、第１のラグは、線形ラック部と位置合わせされるように配置される。突き合わせられていない場合、第１のラグを第２の歯状溝に嵌め込むことができないため、ハンドルを回転させるのに必要な回転力は、正しく取り付けた場合に必要な回転力よりもはるかに大きく、オペレータは現時点で突き合わせられていないことを確認することができる。突き合わせられていない状態が発生した場合、より大きな回転力を使用する必要があるため、オペレータは突き合わせられていない状態を容易に発見することができる。用途に応じて、上記コネクタ・アセンブリの使用の利便性と安全性を確保するように、第１のコネクタ・ハウジングと第２のコネクタ・ハウジングが正常に組み立てられているか否かをオペレータに判断させることができ、支持部分が線形ラック部と突き合わせられていない状態となるのを防止することで、第１のコネクタ・ハウジングおよび第２のコネクタ・ハウジングの所定の場所における取り付けの失敗、電気接続性能への悪影響を回避することができる。
【００５５】
本願のコネクタ・アセンブリは、高電圧コネクタ・アセンブリとしての使用に特に好適である。
【００５６】
上記したものは、本願の好ましい実施形態にすぎず、本願の範囲を限定しようとするものではなく、本願の意図するものの範囲内のあらゆる修正、同等の置換または改良は、本願の実用新案登録請求の範囲内に含まれることを意図するものである。
【符号の説明】
【００５７】
１００、２００ … コネクタ・アセンブリ
１１０、２１０ … 第１のコネクタ・ハウジング
１１４ … 第１の収容キャビティ
１１６ … 第１のハウジング本体
１１７ … シュラウド
１１８ … スロット
１１９ … スライド溝
１２０、２２０ … 第２のコネクタ・ハウジング
１２１ … 第２のハウジング本体
１２２ … 第２の収容キャビティ
１２４ … 端子保護プレート
１２５ … チューブキャビティ
１４０ … 第１の接続端子
１５０ … 第２の接続端子
２１２ … 弾性フック
２１３ … ガイドプレート
２１５ … 支持シャフト
２２１ … 線形ラック部
２２２ … 第２の歯状部
２２３ … 第２の歯状溝
２３０ … コネクタ・ハンドル
２３１ … 接続部分
２３２ … 支持部分
２３３ … 湾曲セグメント
２３４ … 円周側壁
２３５ … 第１の歯状溝
２３６ … 第１の歯状部
２３７ … 第１のラグ
２３８ … 第２のラグ
２３９ … 貫通孔
２５０ … 接続端子
【図１】
0003230259.tif 000003
【図２】
0003230259.tif 000004
【図３】
0003230259.tif 000005
【図４】
0003230259.tif 000006
【図５】
0003230259.tif 000007
【図６】
0003230259.tif 000008
【図７】
0003230259.tif 000009
【図８】
0003230259.tif 000010
【図９】
0003230259.tif 000011